(57)【要約】【課題】従来の前開き構造のシャツ内側胸部辺りに設けられる内ポケットは、収納物の出し入れのたびにボタンを着脱しなければならず又ボタンを常時外した状態では、別の留め具が必要となる問題があった。【解決手段】内ポケット１０のポケット口開口高さ１６間と一対のボタン間隔２７間をトンネル状に連通形状とする為、内ポケットを形成する表地１１と裏地１２にそれぞれ鍔１３ａ、１３ｂを設け、その表地側の鍔１３ａ部をボタン穴２６が設けられた前立て部２３裏側に縫製接続１８し、裏地側の鍔１３ｂ部をボタン２５が設けられた身返し部２４ａの裏側に重ね代３０の大きさで重なる構成とし、一対のボタン間隔２７間から収納物２９を出し入れできるもとしている。【選択図】    図１
2009270235.tif 000002
【特許請求の範囲】
【請求項１】
衣服の内、前開きで胸部外側に胸ポケットが設けられた構造のシャツにおいて、そのシャツの胸部内側に設ける内ポケットは、シャツの前身頃中央部に設けられているボタンの内、胸ポケット直近の一対のボタン間隔間と、内ポケットに横向きに設けるポケット口開口高さ間を向かい合わせにし、前記ポケット口下方に一定のポケット深さと、シャツ外側に設けられている胸ポケットの広さ内に重なる横幅を有する内ポケット大きさで、その内ポケットを形成する表地と裏地には、内ポケット収納部横端から一定の横幅で前記表地と裏地に一体的に連設してそれぞれ縦長の鍔を設け、その鍔の内、表地に設けられた鍔部をボタン穴が設けられている前身頃の前立て部裏側叉は身返し部に挟み固着して取り付け、裏地に設けられている鍔部をボタンが設けられている身返し部裏側に一定の横幅の大きさの重なり代を持つ構成で配置し、前記一対のボタン間隔間と内ポケット口開口高さ間の横幅間をトンネル状に連通し、前記胸ポケットに重なる内ポケットの一部を前身頃の内側に固着して取り付けたシャツの内ポケット。
【発明の詳細な説明】
【技術分野】
【０００１】
本発明は、ボタン又は、スナップを設けた前開き構造のシャツ胸部内側に設ける、シャ  
ツの一対のボタン間から収納物を出し入れするシャツの内ポケットに関する。
【背景技術】
【０００２】
従来のシャツ内側に設けられるポケットは、シャツの前身頃中央部から胸部内側の奥ま  
った位置にポケット口を上向きにしたポケットが設けられ、そのポケットに近接するシャ  
ツのボタンを常時一個外した状態にし、そのボタンに替えて別の留め具を設けている。（  例えば、実開昭６０−１４３７０１参照）
【０００３】
また、シャツの胸部内側のシャツのボタン穴位置から奥に向って横向きやや下傾斜に横  
長の大小二つのポケットが重なる形状で設けられ、横向きの大きなポケット口には面ファ  
スナ-が設けられている。（例えば、実開平０１-１６８５２５参照）
【０００４】
【特許文献１】実開昭６０-１４３７０１
【特許文献２】実開平０１-１６８５２５
【発明の開示】
【発明が解決しようとする課題】
【０００５】
以上に述べた内、実開昭６０−１４３７０１で示すポケットにあっては、シャツのボタン位置から奥まった位置にポケット口が配置されている為、ボタンを一個常時外した状態にしないとボタン間からポケット口に届く迄手先を差し入れることが出来ないもとなり、その常時外したボタンに替えて設けた別の留め具を出し入れのたびに開閉しなければならない面倒なものであった。
【０００６】
また、実開平０１−１６８６２５で示すポケットにあっては、シャツのボタン位置より奥側に面ファスナ-を設けたポケット口が形成されている為、そのポケット口を開けるのに少なくともボタンを一個外さないとポケット口を開けるための手先が挿入し難いと言う不便なものであった。
【０００７】
本発明は、上記の様な問題を解決しようとするものであり、従来のシャツの構造や機能  
及び見栄えを損なうことなく、一対のボタン間から収納物を容易に出し入れ可能とする内  
ポケットを実現することを目的とするものである。
【課題を解決するための手段】
【０００８】
そして、本発明は上記目的を達成するために図１〜図４で示す方法では、シャツの前身  
頃の内側に設ける内ポケット形状は、その内ポケットの表地と裏地を縫い合わせてなる収  
納部横幅の一方の収納部側端の高さ間には、前記表地と裏地に一体的に連設して表地側の  
小さい横幅と裏地側の大きい横幅の鍔をそれぞれ設け、シャツの身返し部に設けられてい  
る縦並びの複数のボタンの内、シャツ外側の左胸部に設けられている胸ポケットの上端高  
さ直近のボタン位置とその下方のボタン位置間で、その一対のボタン間に向かい合わせに  
前記一対のボタン間隔より大きい高さのポケット口開口高さを持ち、その開口下端から下  
方に一定の深さと、内ポケット幅の一方の側端が前記胸ポケットに重なる横幅を持ったポ  
ケット形状としている。
【０００９】
そして、前記ポケットの表地に設けられている鍔部を縫い代として、ボタン穴が設けられている前立て部の内側（裏側）叉は図７で示す見返し部に挟んで縫製取り付けし、裏地に設けられている鍔部を案内壁として、ボタンが取り付けられている身返し部の内側（裏側）に、一定の大きさの重なり代を有する形状に配置すると、前記向かい合わせのボタン間隔間とポケット口開口高さ間の横幅間はトンネル状に連通する収納物の通路を形成している。そして、胸ポケットと重なる内ポケットの側端の一部を前身頃の裏側に縫製取り付けし、その縫製線は胸ポケットに隠れる位置としている。
【００１０】
そして、図５及び図３で示す様に、ボタンの着脱時及び収納物出し入れ時には内ポケット口の案内壁となる鍔部を身返し部で片開き状態に押し開き、向い合わせの前立て部２３と身返し部２４ａ及びポケット口開口高さ間を自在に開閉できるものとしている。
【００１１】
また、図６で示す様に内ポケットの案内壁となる鍔の鍔幅１４ｃが小さすぎると、鍔部と身返し部との重なりが逆重なりとなり易く、そのため身返し部と鍔部の間に隙間が生ずる原因となる為、鍔の横幅は一定の大きさを必要とするものである。
【発明の効果】
【００１２】
上述した様に本発明の内ポケットは、ボタンが設けられた身返し部の内側（裏側）にポケット裏地に設けられた鍔部を重ね合わせた構成にすることにより、図１、図３で示すごとく収納物の通路部となる一対のボタン間の前立て部と身返し部を前後に押し広げても、図５で示すごとく身返し部に押し圧される鍔部は安定した重なり形状を保ちつつ片開き状態に開き、同時にポケット口を開くことができる。したがってボタンを外すことなく一対のボタン間の隙間を収納物の通路とする内ポケットをシャツに設けることができる。
【００１３】
そして、内ポケットの一部取り付けは、シャツ表側に糸目が出ないように胸ポケットに隠れる取付け方となっている為、シャツのデザインを損なうことがない。
【００１４】
そして、内ポケットの操作時にボタンを外すことがないため、ネクタイ着用時においてもポケット操作に何ら支障をきたすことがない。
【００１５】
また、ポケット口とそのポケット口に連通する一対のボタン間は一定の横間隔を持った横向きのトンネル形状となっている為、前傾姿勢などの不規則な姿勢時に収納物の飛び出しを抑制する効果も得られるものとなっている。
【発明を実施するための最良の形態】
【００１６】
以下、本発明の実施の形態を図１〜図８に基づいて説明する。
【００１７】
図１〜図４、図８で示される実施例の内図１は、シャツ２１の左胸部内側に設けられた内ポケット１０の正面図を示し、図２、図３、図４は図１の横断面を示し、図８は内ポケットの単品正面図を示している。内ポケット１０を形成する前身頃２２側の表地１１と奥側の裏地１２の一定の横幅の内、シャツ２１中央側には、ポケット口となるポケット口開口高さ１６と、その開口高さ下端から下方に一定の深さを設ける形状で表地１１と裏地１２を縫製接続１７ａ、１７ｂし、前記表地と裏地に一体的に連設して前記接続位置からシャツ中央側方向に表地１１側の小さい鍔幅１４ａと裏地１２側の大きい鍔幅１４ｂの鍔１３ａ、１３ｂをそれぞれ設け、前記表地側の鍔１３ａ部をボタン穴２６が設けられている前立て部２３裏側に縫製接続１８し、裏地１２側の鍔１３ｂ部をボタン２５が取り付けられている身返し部２４ａの内側（裏側）に重なり代３０の大きさで重なる配置にしている。そして、シャツ２１外側に設けられている胸ポケット２８に重なる内ポケット１０の上方の一部を前身頃２２の内側に縫製接続１９している。
【００１８】
そして、ポケット口開口高さ１６部とその開口高さ部に向かい合わせ状態となる一対のボタン間隔２７間はトンネル状に連通し、収納物２９を出し入れする通路となっている。
【００１９】
図５は、図２の要部拡大の変形例を示し、ボタン着脱の操作時に身返し部２４ａを押し  
広げると鍔１３ｂ部が縫製接続１７ｂ位置を支点に片開き形状に開く状態を示している。  
【００２０】
図６で示される実施例では、鍔１３ｃ部の鍔幅１４ｃが小さすぎると身返し部２４ａと  
の重なり具合が逆重なり状態となりやすい悪い実施例を示している。
【００２１】
図７は、図１〜図５の前立て部の変形例を示し、ボタン穴が設けられた部分の形状は身  
返し形状となり、その見返し部２４ｂに挟んで鍔部１３ａを取り付けている。
【図面の簡単な説明】
【００２２】
【図１】本発明の一実施例を示す正面図である。
【図２】図１のＸ１−Ｘ１線による矢視図である。
【図３】図１のＸ２−Ｘ２線による矢視図である。
【図４】図１のＸ３−Ｘ３線による要部拡大矢視図である。
【図５】図４の変形例を示す図である。
【図６】図５の一部変形の実施例を示す図である。
【図７】図４の変形例を示す図である。
【図８】図１の内ポケット単品正面図である。
【符号の説明】
【００２３】
１０  ：内ポケット
１１  ：表地
１２  ：裏地
１３ａ；鍔
１３ｂ；鍔
１３ｃ；鍔
１３ｄ；鍔
１４ａ：鍔幅
１４ｂ；鍔幅
１４ｃ；鍔幅
１６  ：ポケット口開口高さ
１７ａ：縫製接続
１７ｂ：縫製接続
１８  ：縫製接続
１９  ：縫製接続
２１  ：シャツ
２２  ：前身頃
２３  ：前立て部
２４ａ：身返し部
２４ｂ：身返し部
２５  ：ボタン
２６  ：ボタン穴
２７  ：ボタン間隔
２８  ：胸ポケット
２９  ：収納物
３０  ：重なり代
【図１】
2009270235.tif 000003
【図２】
2009270235.tif 000004
【図３】
2009270235.tif 000005
【図４】
2009270235.tif 000006
【図５】
2009270235.tif 000007
【図６】
2009270235.tif 000008
【図７】
2009270235.tif 000009
【図８】
2009270235.tif 000010